(57)【要約】【課題】停電が発生している場合に、子局のバッテリの浪費を抑えることができる無線放送システムおよび無線放送方法を提供する。【解決手段】子局３により、親局２から送信される放送情報を受信して放送し、商用電源による稼働からバッテリによる稼働に切り替わった場合にバッテリ稼働情報を親局２に送信し、親局２により、子局３からバッテリ稼働情報を受けたとき、放送情報の一部の送信を停止する。【選択図】      図1
2014060661.tif 000002
【特許請求の範囲】
【請求項１】
親局から送信される放送情報を受信して放送し、商用電源による稼働からバッテリによる稼働に切り替わった場合にバッテリ稼働情報を前記親局に送信する子局と、
前記子局から前記バッテリ稼働情報を受けたとき、前記放送情報の一部の送信を停止する前記親局と、
を備えたことを特徴とする無線放送システム。
【請求項２】
前記親局は、前記子局に状態監視コマンドを送信し、この状態監視コマンドの送信に応答して前記子局から前記バッテリ稼働情報を受信し、
前記子局は、前記親局から前記状態監視コマンドを受信し、前記バッテリによる稼働に切り替わった場合、前記バッテリ稼働情報を前記親局に送信する、
ことを特徴とする請求項１記載の無線放送システム。
【請求項３】
前記子局は前記親局の送信するエリアを示すサービスエリア内に複数存在し、
前記親局は、複数の前記子局に、前記状態監視コマンドをそれぞれ送信し、複数の前記子局のうちの所定の割合の子局から前記バッテリ稼働情報を受けることにより前記サービスエリアで停電が発生していると判断し前記放送情報の一部の送信を停止する、
ことを特徴とする請求項２記載の無線放送システム。
【請求項４】
前記放送情報の一部とは、緊急度の低い通常情報を示し、前記通常情報は、行政情報と、行事情報と、前記子局内の機器の保全を確認するための情報を示す機器保全確認情報とを含み、緊急度の低い前記通常情報は、前記行事情報と、前記機器保全確認情報を含む、
ことを特徴とする請求項２又は３記載の無線放送システム。
【請求項５】
前記親局は、
前記行政情報を送信する一般放送と、前記機器保全確認情報を送信する機器保全確認放送とを行うとともに、前記子局に前記状態監視コマンドを送信し、この状態監視コマンドの送信に応答して前記子局から前記バッテリ稼働情報を受信することにより停電が発生していると判断し、前記通常情報のうちの緊急度の低い前記通常情報の送信を停止する操作卓と、
前記操作卓に接続され、前記緊急情報を送信する緊急放送と前記一般放送とを前記操作卓を介して行う遠隔制御装置と、
一般電話回線を介して前記操作卓に接続され、行事情報を送信する地区遠隔放送を前記操作卓を介して行う電話機と、
前記操作卓に接続され、前記操作卓と前記遠隔制御装置と前記電話機とが行うそれぞれの放送を出力する基地局と、
を備えたことを特徴とする請求項４記載の無線放送システム。
【請求項６】
前記操作卓は、停電が発生していると判断した場合、前記機器保全確認放送と前記地区遠隔放送とを停止する、
ことを特徴とする請求項５記載の無線放送システム。
【請求項７】
前記操作卓は、停電が発生していると判断した後に、所定の時間が経過した場合、前記遠隔制御装置が行う前記一般放送を更に停止する、ことを特徴とする請求項６記載の無線放送システム。
【請求項８】
親局により放送情報を送信し、
子局により、前記親局から送信される放送情報を受信して放送し、商用電源による稼働からバッテリによる稼働に切り替わった場合にバッテリ稼働情報を前記親局に送信し、
前記親局により、前記子局から前記バッテリ稼働情報を受けたとき、前記放送情報の一部の送信を停止する、
ことを特徴とする無線放送方法。
【請求項９】
前記親局により、前記子局に状態監視コマンドを送信し、
前記子局により、前記親局から前記状態監視コマンドを受信し、前記バッテリによる稼働に切り替わった場合、前記バッテリ稼働情報を前記親局に送信し、
前記親局により、前記子局から前記バッテリ稼働情報を受信する、
ことを特徴とする請求項８記載の無線放送方法。
【請求項１０】
前記子局は前記親局の送信するエリアを示すサービスエリア内に複数存在し、
前記親局は、複数の前記子局に、前記状態監視コマンドをそれぞれ送信し、複数の前記子局のうちの所定の割合の子局から前記バッテリ稼働情報を受けることにより前記サービスエリアで停電が発生していると判断し前記放送情報の一部の送信を停止する、
ことを特徴とする請求項９記載の無線放送方法。
【発明の詳細な説明】
【技術分野】
【０００１】
本発明は、無線放送システム及び無線放送方法に関し、バックアップ電源の浪費を抑える無線放送システム及び無線放送方法に関する。
【背景技術】
【０００２】
近年、緊急時に災害情報等を伝える緊急放送を行い、通常時には行政情報や行事情報等を伝える通常放送を行う無線放送システムが普及している。この無線放送システムは、親局が放送内容を無線により送信し、子局がこの放送を無線により受信し、例えば、拡声スピーカ等によりに放送内容の音声を拡声して、住民等に通知する。
【０００３】
このような無線放送システムに関する技術が特許文献１に開示されている。特許文献１に開示の無線告知放送システムは、センタ装置と、このセンタ装置と無線ネットワークを介して接続された受信端末装置と、この受信端末装置に備えられた１次電池、２次電池等のバックアップ電源とを有する。センタ装置は、災害情報等の緊急情報や、行政情報や行事情報等の通常情報を示す告知情報を送信する。受信端末装置は、センタ装置から送信された告知情報を受信し、この情報を放送（告知放送）する。受信端末装置は、通常は商用電源とバックアップ電源（電池）とにより稼働することができる。受信端末装置は、例えば各家庭の家屋内や、公共施設等に配置される。また、災害が発生し住民等が公共施設などに避難する際には、避難場所に受信端末装置を携帯することにより、住民等は、この避難場所でセンタ装置から送信された情報の放送を聞くことができる。
【０００４】
例えば、地震等が発生し、受信端末装置が設置されているエリアで停電が発生した場合には、受信端末装置は商用電源からバックアップ電源（電池）に切り替えて稼働する。そして、センタ装置から地震に関しての災害情報等の緊急情報が送信される。また、センタ装置からはこの緊急情報以外に、行政情報や行事情報等の通常情報も送信される。受信端末装置は、センタ装置が送信した緊急情報や通常情報を無線ネットワークを介して受信して放送する。
【先行技術文献】
【特許文献】
【０００５】
【特許文献１】特開２０１０−１６６４１９号公報
【発明の概要】
【発明が解決しようとする課題】
【０００６】
上述した特許文献１に記載の無線放送システムは、地震等が発生し、受信端末装置が設置されているエリアで停電が発生した場合に、受信端末装置はバックアップ電源（電池）に切り替えて稼働する。そして、受信端末装置は、センタ装置から送信された緊急情報や通常情報を無線ネットワークを介して受信して放送する。このように、この無線放送システムは、停電が発生している場合でも、緊急情報以外に緊急度の低い通常情報も受信して放送しているので、受信端末装置のバックアップ電源（電池）が浪費され動作時間が短縮してしまうという問題がある。
【０００７】
本発明の目的は、上記課題を解決して、停電が発生している場合に、受信側の装置のバックアップ電源の浪費を抑える無線放送システム及び無線放送方法を提供することである。
【課題を解決するための手段】
【０００８】
本発明の無線放送システムは、親局から送信される放送情報を受信して放送し、商用電源による稼働からバッテリによる稼働に切り替わった場合にバッテリ稼働情報を前記親局に送信する子局と、前記子局から前記バッテリ稼働情報を受けたとき、前記放送情報の一部の送信を停止する前記親局と、を備えている。
【０００９】
本発明の無線放送方法は、親局により放送情報を送信し、子局により、前記親局から送信される放送情報を受信して放送し、商用電源による稼働からバッテリによる稼働に切り替わった場合にバッテリ稼働情報を前記親局に送信し、前記親局により、前記子局から前記バッテリ稼働情報を受けたとき、前記放送情報の一部の送信を停止するようにしている。
【発明の効果】
【００１０】
本発明によれば、停電が発生している場合に、受信側の装置のバックアップ電源の浪費を抑える無線放送システム及び無線放送方法を提供することができる。
【図面の簡単な説明】
【００１１】
【図１】本発明の第１の実施の形態に係る無線放送システムの一例を示す図である。
【図２】本発明の第２の実施の形態に係る無線放送システムの一例を示す図である。
【図３】本発明の第２の実施の形態に係る無線放送システムの動作の一例を示すフローチャートである。
【発明を実施するための形態】
【００１２】
次に、本発明の実施の形態について図面を参照して説明する。
（第１の実施の形態）
図１は、本発明の第１の実施の形態に係る無線放送システムの一例を示す図である。
【００１３】
本実施の形態に係る無線放送システム１は、親局２と、子局３とにより構成される。
【００１４】
この無線放送システム１は、親局２が放送内容を無線により送信し、子局３がこの放送を無線により受信し、例えば、子局３の予め備えた拡声スピーカ等によりに放送内容の音声を拡声して、住民等に通知するシステムである。
【００１５】
親局２は子局３に放送情報を送信する。放送情報とは、災害情報を含む緊急情報や、地域等の行政に関する情報（行政情報）や住民の在住する地区等の行事に関する情報（行事情報）を含む通常情報を含む。また、親局２は、子局３からバッテリにより稼働していることを示すバッテリ稼働情報を受けたとき、サービスエリアでの停電の発生を検知し、放送情報の一部（例えば、緊急度の低い通常情報）の送信を停止する。サービスエリアとは、親局２が緊急情報や通常情報を送信するエリアを示す。
【００１６】
子局３は、バッテリを予め備え、通常は商用電源により稼働し停電時にバッテリにより稼働し、親局２から送信された放送情報（緊急情報と通常情報）を受信して放送する。また、子局３は、商用電源による稼働からバッテリによる稼働に切り替わった場合、バッテリ稼働情報を親局２に送信する。
【００１７】
ここで、第１の実施の形態の動作を説明する。親局２は、通常、緊急情報や、通常情報を送信する。また、親局２は、子局３に状態監視コマンドを定期的に、例えば、１分毎に送信する。この定期の数値は１分にこだわることなく、システムにより適宜変更して良い。子局３は、通常、親局２から送信された緊急情報と通常情報とを受信して放送する。また、親局２から状態監視コマンドを定期的に受信し、例えば、子局３が商用電源により稼働している場合は商用電源稼働情報を、また、バッテリにより稼働している場合はバッテリ稼働情報を状態監視コマンドの受信毎に親局２に送信する。ここで、例えば地震等が発生し、子局３が設置されているエリアで停電が発生した場合には、子局３は商用電源からバッテリに切り替えて稼働する。そして、子局３は、親局２から状態監視コマンドを受信した際にバッテリ稼働情報を親局２に送信する。親局２は、子局３からバッテリ稼働情報を受け、サービスエリアで停電が発生したと判断し、緊急度の低い通常情報の送信を停止する。通常情報とは、例えば、行政情報と、行事情報と、子局３の保全を確認するための情報を示す機器保全確認情報を含む。機器保全確認情報とは、例えば、サイレンの音、赤とんぼの音楽、“これは、スピーカの放音を確認するための放送です”等の文言等である。これを定時（１２時や１７時）に放送することにより、スピーカの正常性等を確認できる。緊急度の低い通常情報とは、例えば、行事情報、機器保全確認情報である。
【００１８】
上記説明では、子局３が一つの場合について説明したが、子局３は、サービスエリア内に複数存在しても良い。この場合には、親局２は、複数の子局３に状態監視コマンドを定期的にそれぞれ送信し、複数の子局３のうちの所定の割合（例えば、２割）の子局３からバッテリ稼働情報を受けることによりサービスエリアで停電が発生していると判断する。所定の割合は２割にこだわることなく、システムにより適宜変更して良い。これらの子局３は、例えば、屋外に配置された拡声スピーカを有する装置であっても良く、通常のスピーカを備えた受信機であっても良い。また、親局２と子局３とを中継する中継局であっても良い。
【００１９】
このように、本発明の第１の実施の形態によれば、子局３が、停電により商用電源による稼働からバッテリによる稼働に切り替わった場合、バッテリ稼働情報を親局２に送信する。そして、親局２が、子局３からバッテリ稼働情報を受けることにより、サービスエリアでの停電の発生を検知し、緊急度の低い通常情報の送信を停止する。
【００２０】
このため、本発明の第１の実施の形態によれば、子局の配置されているエリアで停電が発生し、子局がバッテリにより稼働した場合、親局が、緊急度の低い通常情報の送信を停止するので、子局は、緊急度の低い通常情報を受信し放送することがない。このため、停電が発生している場合に、子局のバッテリの浪費を抑えることができる。
（第２の実施の形態）
図２は、本発明の第２の実施の形態に係る無線放送システムの一例を示す図である。
【００２１】
本第２の実施の形態は、第１の実施の形態の親局２をより具体化したものである。したがって、主に第１の実施の形態と相違する部分について説明する。
【００２２】
本実施の形態に係る無線放送システム１は、親局２と、子局３とにより構成される。親局２は、操作卓４と、遠隔制御装置５と、電話機６と、基地局７とにより構成される。
【００２３】
操作卓４は、緊急情報を送信する緊急放送と、行政情報を送信する一般放送と、機器保全確認情報を定時に送信する機器保全確認放送（自動定時放送）とを行う。また、操作卓４は、子局３に定期的に状態監視コマンドを送信し、この状態監視コマンドの送信に応答して定期的に子局３からバッテリ稼働情報を受信することにより、サービスエリアで停電が発生していると判断し、通常情報のうちの緊急度の低い通常情報の送信を停止する。
【００２４】
遠隔制御装置５は、操作卓４に接続され、緊急情報を送信する緊急放送と行政情報を送信する一般放送とを操作卓４を介して行う。遠隔制御装置５は、例えば、出先機関等の遠方に設置される。
【００２５】
電話機６は、一般電話回線を介して操作卓４に接続され、サービスエリア内の、例えば、住民向けの行事情報を送信する地区遠隔放送を操作卓４を介して行う。
【００２６】
基地局７は、操作卓４に接続され、操作卓４と遠隔制御装置５と電話機６とが行うそれぞれの放送を無線により子局３に送信する。また、操作卓４からの状態監視コマンドを子局３に無線により送信する。また、子局３が送信したバッテリ稼働情報を受信し操作卓４に出力する。
【００２７】
次に、本発明の第２の実施の形態に係る無線放送システムの動作を図３を参照して詳細に説明する。
【００２８】
図３は、本発明の第２の実施の形態に係る無線放送システムの動作の一例を示すフローチャートである。
【００２９】
親局２は、通常、緊急情報や、通常情報を送信する。操作卓４は、基地局７を介して、子局３に状態監視コマンドを定期的（例えば、１分毎）に送信する。子局３は、通常、親局２から送信された緊急情報と通常情報とを受信して放送する。また、親局２から状態監視コマンドを定期的に受信し、例えば、子局３が商用電源により稼働している場合は商用電源稼働情報を、また、バッテリにより稼働している場合はバッテリ稼働情報を状態監視コマンドの受信毎に親局２に送信する。
【００３０】
図３のステップＳ１では、例えば地震等が発生し、子局３が設置されているエリアで停電が発生した場合には、子局３は稼働する電源を商用電源からバッテリに切り替えて稼働する。そして、子局３は、親局２から状態監視コマンドを受信した際にバッテリ稼働情報を親局２に送信する。
【００３１】
図３のステップＳ２では、操作卓４は、基地局７を介して、子局３からバッテリ稼働情報を受け、サービスエリアで停電が発生したと判断し、緊急度の低い通常情報の送信を停止する。すなわち、操作卓４は、自身が定時に送信する機器保全確認放送と、電話機６が送信する地区遠隔放送とを停止する。ここで、通常情報とは、例えば、操作卓４が送信する行政情報と、行事情報と、機器保全確認情報を含み、緊急度の低い通常情報とは、操作卓４が送信する機器保全確認放送を示す。
【００３２】
図３のステップＳ３では、操作卓４は、停電が発生していると判断した後に、状態監視コマンドの送信毎に子局からバッテリ稼働情報を受けて所定の時間が経過した場合、遠隔制御装置５が送信する一般放送を更に停止する。遠隔制御装置５が送信する一般放送とは、遠隔制御装置５が送信する行政情報についての放送である。所定の時間は、例えば７時間であり、この値はシステムにより適宜変更して良い。
【００３３】
上記説明では、子局３が一つの場合について説明したが、子局３は、サービスエリア内に複数存在しても良い。この場合には、親局２は、複数の子局３に状態監視コマンドを定期的にそれぞれ送信し、複数の子局３のうちの所定の割合（例えば、２割）の子局３からバッテリ稼働情報を受けることによりサービスエリアで停電が発生していると判断する。
【００３４】
このように、本発明の第２の実施の形態によれば、子局３が、停電により商用電源による稼働からバッテリによる稼働に切り替わった場合、バッテリ稼働情報を親局２に送信する。そして、親局２が、子局３からバッテリ稼働情報を受けることにより、サービスエリアでの停電の発生を検知し、緊急度の低い通常情報の送信を停止する。
【００３５】
このため、本発明の第２の実施の形態によれば、子局の配置されているエリアで停電が発生し、子局がバッテリにより稼働した場合、親局が、緊急度の低い通常情報の送信を停止するので、子局は、緊急度の低い通常情報を受信し放送することがない。このため、停電が発生している場合に、子局のバッテリの浪費を抑えることができる。
【００３６】
上記の実施形態の一部または全部は、以下の付記のように記載され得るが、以下には限られない。
（付記１）
親局から送信される放送情報を受信して放送し、商用電源による稼働からバッテリによる稼働に切り替わった場合にバッテリ稼働情報を前記親局に送信する子局と、
前記子局から前記バッテリ稼働情報を受けたとき、前記放送情報の一部の送信を停止する前記親局と、
を備えたことを特徴とする無線放送システム。
（付記２）
前記親局は、前記子局に状態監視コマンドを送信し、この状態監視コマンドの送信に応答して前記子局から前記バッテリ稼働情報を受信し、
前記子局は、前記親局から前記状態監視コマンドを受信し、前記バッテリによる稼働に切り替わった場合、前記バッテリ稼働情報を前記親局に送信する、
ことを特徴とする付記１記載の無線放送システム。
（付記３）
前記子局は前記親局の送信するエリアを示すサービスエリア内に複数存在し、
前記親局は、複数の前記子局に、前記状態監視コマンドをそれぞれ送信し、複数の前記子局のうちの所定の割合の子局から前記バッテリ稼働情報を受けることにより前記サービスエリアで停電が発生していると判断し前記放送情報の一部の送信を停止する、
ことを特徴とする付記２記載の無線放送システム。
（付記４）
前記放送情報の一部とは、緊急度の低い通常情報を示し、前記通常情報は、行政情報と、行事情報と、前記子局内の機器の保全を確認するための情報を示す機器保全確認情報とを含み、緊急度の低い前記通常情報は、前記行事情報と、前記機器保全確認情報を含む、
ことを特徴とする付記２又は３記載の無線放送システム。
（付記５）
前記親局は、
前記行政情報を送信する一般放送と、前記機器保全確認情報を送信する機器保全確認放送とを行うとともに、前記子局に前記状態監視コマンドを送信し、この状態監視コマンドの送信に応答して前記子局から前記バッテリ稼働情報を受信することにより停電が発生していると判断し、前記通常情報のうちの緊急度の低い前記通常情報の送信を停止する操作卓と、
前記操作卓に接続され、前記緊急情報を送信する緊急放送と前記一般放送とを前記操作卓を介して行う遠隔制御装置と、
一般電話回線を介して前記操作卓に接続され、行事情報を送信する地区遠隔放送を前記操作卓を介して行う電話機と、
前記操作卓に接続され、前記操作卓と前記遠隔制御装置と前記電話機とが行うそれぞれの放送を出力する基地局と、
を備えたことを特徴とする付記４記載の無線放送システム。
（付記６）
前記操作卓は、停電が発生していると判断した場合、前記機器保全確認放送と前記地区遠隔放送とを停止する、
ことを特徴とする付記５記載の無線放送システム。
（付記７）
前記操作卓は、停電が発生していると判断した後に、所定の時間が経過した場合、前記遠隔制御装置が行う前記一般放送を更に停止する、ことを特徴とする付記６記載の無線放送システム。
（付記８）
親局により放送情報を送信し、
子局により、前記親局から送信される放送情報を受信して放送し、商用電源による稼働からバッテリによる稼働に切り替わった場合にバッテリ稼働情報を前記親局に送信し、
前記親局により、前記子局から前記バッテリ稼働情報を受けたとき、前記放送情報の一部の送信を停止する、
ことを特徴とする無線放送方法。
（付記９）
前記親局により、前記子局に状態監視コマンドを送信し、
前記子局により、前記親局から前記状態監視コマンドを受信し、前記バッテリによる稼働に切り替わった場合、前記バッテリ稼働情報を前記親局に送信し、
前記親局により、前記子局から前記バッテリ稼働情報を受信する、
ことを特徴とする付記８記載の無線放送方法。
（付記１０）
前記子局は前記親局の送信するエリアを示すサービスエリア内に複数存在し、
前記親局は、複数の前記子局に、前記状態監視コマンドをそれぞれ送信し、複数の前記子局のうちの所定の割合の子局から前記バッテリ稼働情報を受けることにより前記サービスエリアで停電が発生していると判断し前記放送情報の一部の送信を停止する、
ことを特徴とする付記９記載の無線放送方法。
（付記１１）
前記放送情報の一部とは、緊急度の低い通常情報を示し、前記通常情報は、行政情報と、行事情報と、前記子局内の機器の保全を確認するための情報を示す機器保全確認情報とを含み、緊急度の低い前記通常情報は、前記行事情報と、前記機器保全確認情報を含む、
ことを特徴とする付記９又は１０記載の無線放送方法。
（付記１２）
前記親局は、停電が発生していると判断した後に、所定の時間が経過した場合、前記行政情報の通信を更に停止する、ことを特徴とする付記１１記載の無線放送方法。
【符号の説明】
【００３７】
１    無線放送システム
２    親局
３    子局
４    操作卓
５    遠隔制御装置
６    電話機
７    基地局
【図１】
2014060661.tif 000003
【図２】
2014060661.tif 000004
【図３】
2014060661.tif 000005